(57)【要約】【課題】機器内部に異常が発生した場合でも異常の悪化を抑制できる携帯電子機器を提供する。【解決手段】所定の機能を実行する回路ブロックを複数備えた携帯電子機器であって、複数の回路ブロックへの電源供給を制御する電源供給部２０と、機器内での異常を検知する温度検知部２３と、温度検知部２３により異常が検知されると、異常に応じて複数の回路ブロックに対する電源の供給を順次抑制し、電源供給の抑制状態と、温度検知部２３で検知される異常度合いとに応じて特定される回路ブロックに対する電源供給を停止する制御部１０とを備える。【選択図】  図１
2012074795.tif 000002
【特許請求の範囲】
【請求項１】
所定の機能を実行する回路ブロックを複数備えた携帯電子機器であって、
前記複数の回路ブロックへの電源供給を制御する電源供給部と、
前記機器内での異常を検知する検知部と、
前記検知部により異常が検知されると、前記異常に応じて前記複数の回路ブロックに対する電源の供給を順次抑制し、前記電源供給の抑制状態と、前記検知部で検知される異常度合いとに応じて特定される回路ブロックに対する電源供給を停止する制御部と、
を備えたことを特徴とする携帯電子機器。
【請求項２】
前記制御部は、
前記複数の回路ブロックのうち消費電流が比較的高い回路ブロックに対する前記電源の供給を抑制する
ことを特徴とする請求項１記載の携帯電子機器。
【請求項３】
前記制御部は、
前記検知部が前記異常を検知したときに動作している回路ブロックに対する電源の供給を優先的に抑制する
ことを特徴とする請求項１または２記載の携帯電子機器。
【請求項４】
前記制御部は、
前記複数の回路ブロックに対する電源供給の抑制に応じて前記検知部にて検知される異常度合いが軽減されたときの電源供給が抑制された回路ブロックを特定する
ことを特徴とする請求項１記載の携帯電子機器。
【請求項５】
前記制御部は、
前記検知部での異常検知による前記電源供給の抑制に応じて特定される回路ブロックを含む前記機器の動作状態を退避した後、全ての回路ブロックへの電源の供給を停止し、電源投入要求に基づき、前記退避した機器の動作状態により特定される回路ブロックへの電源供給を停止したまま他の回路ブロックを起動する
ことを特徴とする請求項１記載の携帯電子機器。
【請求項６】
前記制御部は、前記特定された回路ブロックに対する電源供給の停止を行うとともに、電源供給が抑制された他の回路ブロックに対する電源供給の抑制を解除する
ことを特徴とする請求項１乃至５のいずれかに記載の携帯電子機器。
【請求項７】
報知部をさらに備え、
前記制御部は、特定された回路ブロックの異常を前記報知部にて報知させる
ことを特徴とする請求項１乃至６のいずれかに記載の携帯電子機器。
【請求項８】
前記検知部は、機器内の温度を検知する温度検知部を有し、
前記温度検知部にて検出される温度が所定温度以上となると異常を検知する
ことを特徴とする請求項１乃至７のいずれかに記載の携帯電子機器。
【請求項９】
前記制御部は、前記複数の回路ブロックに対する電源供給を順次抑制しても、前記検知部で検知される異常度合いが軽減されない場合には、前記複数の回路ブロックの全てに対する電源供給を停止する
ことを特徴とする請求項１乃至８のいずれかに記載の携帯電子機器。
【発明の詳細な説明】
【技術分野】
【０００１】
本発明は、所定の機能を実行する複数の回路ブロックに対する電源の供給制御が可能な携帯電子機器に関する。
【背景技術】
【０００２】
携帯電話機などの携帯電子機器において、機器の内部で温度異常が発生した場合、実装された電子部品の破壊などを起こすことがある。これを防ぐために、機器内部に温度センサやサーミスタを設け、設定温度以上の温度を検知したときに電源を遮断する技術が知られている。
【０００３】
また、温度異常を検知したときに、内部または外部に設置された冷却ファンを駆動して内部を冷却することにより、高温から電子部品を保護する携帯電話機も知られている（例えば、特許文献１、２参照）。
なお、温度異常以外の異常、例えば過電流などを検知した場合にも電源遮断する技術も知られている。
【先行技術文献】
【特許文献】
【０００４】
【特許文献１】特開平５−２５２０５６号公報
【特許文献１】特開平９−１９１５５８号公報
【発明の概要】
【発明が解決しようとする課題】
【０００５】
しかしながら、上記した従来技術によれば、異常温度等の異常検知時に機器全体の電源が遮断されるため、電源が再投入されるまでの間、機器が有する全ての機能を使用することが出来ない。
【０００６】
本発明は上記した課題を解決するためになされたものであり、機器内部に異常が発生した場合でも異常の悪化を抑制できる携帯電子機器を提供することを目的とする。
【課題を解決するための手段】
【０００７】
上記課題を解決するために、本発明は、所定の機能を実行する回路ブロックを複数備えた携帯電子機器であって、複数の回路ブロックへの電源供給を制御する電源供給部と、機器内での異常を検知する検知部と、検知部により異常が検知されると、異常に応じて複数の回路ブロックに対する電源の供給を順次抑制し、電源供給の抑制状態と、検知部で検知される異常度合いとに応じて特定される回路ブロックに対する電源供給を停止する制御部と、を備えたことを特徴とする。
【０００８】
また、本発明において、制御部は、複数の回路ブロックのうち消費電流が比較的高い回路ブロックに対する電源の供給を抑制する。
また、本発明において、制御部は、検知部が異常を検知したときに動作している回路ブロックに対する電源の供給を優先的に抑制する。
【０００９】
また、本発明において、制御部は、複数の回路ブロックに対する電源供給の抑制に応じて検知部にて検知される異常度合いが軽減されたときの電源供給が抑制された回路ブロックを特定する。
【００１０】
また、本発明において、制御部は、検知部での異常検知による電源供給の抑制に応じて特定される回路ブロックを含む機器の動作状態を退避した後、全ての回路ブロックへの電源の供給を停止し、電源投入要求に基づき、退避した機器の動作状態により特定される回路ブロックへの電源供給を停止したまま他の回路ブロックを起動する。
【００１１】
また、本発明において、制御部は、特定された回路ブロックに対する電源供給の停止を行うとともに、電源供給が抑制された他の回路ブロックに対する電源供給の抑制を解除する。
【００１２】
また、本発明は、報知部をさらに備え、制御部は、特定された回路ブロックの異常を報知部にて報知させる。
【００１３】
また、本発明において、検知部は、機器内の温度を検知する温度検知部を有し、温度検知部にて検出される温度が所定温度以上となると異常を検知する。
また、本発明において、制御部は、複数の回路ブロックに対する電源供給を順次抑制しても、検知部で検知される異常度合いが軽減されない場合には、複数の回路ブロックのすべてに対する電源供給を停止する。
【発明の効果】
【００１４】
本発明によれば、機器内部に異常が発生した場合でも異常の悪化を抑制できる携帯電子機器を提供することができる。
【図面の簡単な説明】
【００１５】
【図１】本発明の実施の形態１に係る携帯情報端末の構成を示すブロック図である。
【図２】本発明の実施の形態１に係る携帯情報端末の動作を示すフローチャートである。
【図３】本発明の実施の形態２に係る携帯情報端末の構成を示すブロック図である。
【図４】本発明の実施の形態２に係る携帯情報端末の動作（１）を示すフローチャートである。
【図５】本発明の実施の形態２に係る携帯情報端末の動作（２）を示すフローチャートである。
【発明を実施するための形態】
【００１６】
以下、本発明に係る好適な実施の形態（以下、実施形態）について、図面を参照しながら詳細に説明する。
【００１７】
実施形態１．
（実施形態１の構成）
図１は、本発明の携帯電子機器の実施形態１に係る携帯情報端末（例えば、携帯電話機）１ａの構成を示すブロック図である。
【００１８】
図１に示されるように、本発明の実施形態１に係る携帯情報端末１ａは、制御部１０と、記憶部１１と、無線通信部１２と、画像表示部Ａ１３と、画像表示部Ｂ１４と、発光表示部１５と、マルチメディア部１６と、オーディオ部１７と、カメラ部１８と、モータ部１９と、電源供給部２０と、電池部２１と、充電部２２と、温度検知部２３と、により構成される。
【００１９】
制御部１０は、携帯情報端末１ａの全体的な動作を統括的に制御する。すなわち、携帯情報端末１ａが有する機能（回線交換網を介して行われる音声通話、電子メールの作成と送受信、インターネットのＷｅｂ（World Wide Web）サイトの閲覧など）が不図示の操作部を介したキー入力に応じて適切な手順で実行されるように、上述した各回路ブロックの動作（後述する無線通信部１２における信号の送受信、画像表示部Ａ１３、Ｂ１４における画像の表示など）を制御する。
【００２０】
制御部１０は、記憶部１１に格納されるプログラム（ＯＳ、アプリケーシンマネージャ、アプリケーションプログラム等）に基づいて処理を実行するコンピュータ（マイクロプロセッサ）を備えており、このプログラムにおいて指示された手順にしたがって上述した処理を実行する。すなわち、記憶部１１に格納されるプログラムから命令コードを順次読み込んで処理を実行する。
【００２１】
記憶部１１には、制御部１０において処理に使用される各種のデータが保持される。例えば、制御部１０に備わるコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で使用される一時的なデータなどが保持される。
【００２２】
なお、記憶部１１は、例えば不揮発性の記憶デバイス（不揮発性半導体メモリ、ハードディスク装置、光ディスク装置など）やランダムアクセス可能な記憶デバイス（例えば、ＳＲＡＭ、ＤＲＡＭ）などによって構成される。
【００２３】
無線通信部１２は、通信ネットワークに接続される不図示の基地局との間で無線通信を行う。例えば、制御部１０から供給される送信データに所定の変調処理を施して無線信号に変換し、アンテナを介して送出する。また、アンテナにおいて受信される基地局からの無線信号に所定の復調処理を施して受信データに変換し、制御部１０に出力する。
【００２４】
画像表示部Ａ１３と画像表示部Ｂ１４は、例えば、液晶表示パネルや有機ＥＬ（Electro-Luminescence）パネルなどの表示デバイスを用いて構成されており、制御部１０により生成される映像信号に応じた画像を表示する。例えば、発信時における発信先の電話番号、着信時における着信相手の電話番号、受信メールや送信メールの内容、日付、時刻、バッテリ残量、待ち受け画面などの各種状態情報や画像を表示する。ここでは、画像表示部Ａ１３は比較的大画面のメインディスプレイとして、画像表示部Ｂ１４はサブディスプレイとしてそれぞれ使用される。
【００２５】
発光表示部１５は、例えば、ＬＥＤ（Light Emitted Diode）で構成され、サブディスプレイとして使用される画像表示部Ｂ１４同様、各種状態情報の表示や起動時のイルミネーション等の演出用に使用される。
【００２６】
マルチメディア部１６は、例えば、無線通信部１２を介して受信した地上デジタル放送を再生し、あるいは音楽等を再生するためのアプリケーションを実行する回路ブロックである。オーディオ部１７は、不図示のスピーカから出力される音声信号や、マイクロフォンにおいて入力される音声信号の処理を行う。すなわち、マイクロフォンから入力される音声を増幅してアナログ−デジタル変換を行い、更に符号化等の信号処理を施し、デジタルの音声データに変換して制御部１０に出力する。また、制御部１０から供給される音声データに復号化、デジタル−アナログ変換、増幅等の信号処理を施し、アナログの音声信号に変換してスピーカに出力する。
【００２７】
カメラ部１８は、ＣＣＤ（Charge Coupled Device）やＣＭＯＳ（ComplimentaryMOS）等の撮像素子により撮影された画像を取り込み制御部１０へ出力する。モータ部１９は振動用の駆動回路を含む回路ブロックである。
【００２８】
電源供給部２０は、充電可能な二次電池等により構成される電池部２１によって供給される電源を、制御部１０による制御の下で、携帯情報端末１ａを構成して、所定の機能を実行する各種デバイス１０〜１９に対応して配置される複数の回路ブロック１０ａ、１１ａ、１２ａ、１３ａ、１４ａ、１５ａ、１６ａ、１７ａ、１８ａ、１９ａに対して供給制御を行い、給電用の回路ブロック２０ａを備える。充電部２２は、電池部２１の充電制御を行う。
【００２９】
温度検知部２３は、携帯情報端末１ａ内部での温度異常を検知する、例えば、サーミスタ等の温度センサであり、熱発生要因となる電流消費量の高い回路ブロックである無線通信部１２あるいは充電部２２や電池部２１の近傍に実装される。
【００３０】
制御部１０は、温度検知部２３により検知される携帯情報端末１ａの内部温度が所定温度以上になる異常を検知すると、記憶部１１に格納されたプログラムに従い電源供給部２０を制御して、複数の回路ブロックに対する電源の供給を順次抑制する。
そして、この複数の回路ブロックに対する電源供給を順次抑制することにより、温度検知部２３で検知される温度に基づく異常状態の度合い（温度変化など）が低減されると、制御部１０は、このときに電源供給が抑制された回路ブロックを特定する。そして、制御部１０は、この特定された回路ブロックが異常であると判定（想定）し、この特定された回路ブロックに対する電源供給部２０による電源供給を停止させる。制御部１０は、特定された回路ブロックに対する電源供給が停止された後、検知温度に基づく異常状態の度合いが低減（回復）されたと判断すると、特定された回路ブロック以外の複数の回路ブロック１０ａ〜２０ａに対する電源供給の抑制を解除する。
また、制御部１０は、回路ブロックを特定するとともに、この特定された回路ブロックへの電源供給を停止した状態で、この回路ブロックの異常（の可能性）を、画像表示部Ａ１３、画像表示部Ｂ１４、発光表示部１５、あるいはオーディオ部１７等を介して報知する機能を有する。詳細は後述する。
【００３１】
（実施形態１の動作）
以下、図２のフローチャートを参照しながら、図１に示す本発明の実施形態１に係る携帯情報端末１ａの動作について詳細に説明する。
【００３２】
図２によれば、制御部１０は、まず、温度検知部２３にて測定される温度情報を取得し（ステップＳ１０１）、閾値と比較することで端末内における温度異常の有無を検知する（ステップＳ１０２）。ここで検知された温度が所定温度以上となる温度異常が検知されると（ステップＳ１０２“ＹＥＳ”）、制御部１０は、電源供給部２０を制御して、複数の回路ブロックに対する電源供給を順次抑制する（ステップＳ１０３）。
【００３３】
ここでは、最初に無線通信部１２（回路ブロック１２ａ）に対する電源供給を抑制するものとして説明する。制御部１０は、電源供給部２０を制御して無線通信部１２に対する電源供給を停止した後、再度、温度検知部２３により測定される温度情報を取得して端末が温度異常状態から復帰したか否か或いは異常状態の度合いが軽減したか否かを判定する（ステップＳ１０４）。なお、電源供給の抑制とは、対象の回路ブロックへの電源供給を停止したり供給電流を減少したりすることで、回路ブロックへの電源供給を調整することで対象デバイスの機能動作が抑制される処理であればよい。
【００３４】
ここで、温度検知部２３で測定された温度が依然として閾値以上あって温度異常復帰していない、或いは検知温度が無線通信部１２への電源供給抑制開始前の検知温度以上であり電源供給抑制により端末内部の温度が減少していない等の異常度合いが軽減されていないと判定されると（ステップＳ１０４“ＮＯ”）、制御部１０は、電源供給部２０を制御して、先に特定された無線通信部１２（回路ブロック１２ａ）への電源供給を再開し（ステップＳ１０５）、次に特定される、例えば、画像表示部Ａ１３の回路ブロック１３ａへの電源供給を抑制する（ステップＳ１０６）。
【００３５】
一方、温度異常復帰した或いは検知温度が電源供給抑制前の温度よりも低くなり温度減少したと判定されると（ステップＳ１０４“ＹＥＳ”）、制御部１０は、その時点で電源供給が抑制されている回路ブロックを特定し、この特定された回路ブロックへの電源供給を停止する。そして、その回路ブロックが異常であると判定し、その旨を外部に報知する（ステップＳ１０７）。報知にあたり、画像表示部Ａ１３または画像表示部Ｂ１４によるメッセージ表示、発光表示部１５によるＬＥＤ点灯または点滅、あるいはオーディオ部１７による音声出力、モータ部１９を駆動することによる振動が考えられる。
【００３６】
続いて制御部１０は、全ての回路ブロックに対して電源供給抑制を行い、異常判定される回路ブロックの特定が終了したか否かを判定する（ステップＳ１０８）。ここで、未だ特定されていない回路ブロックがあれば（ステップＳ１０８“ＮＯ”）、ステップＳ１０４の温度異常復帰判定処理に戻る。一方、全ての回路ブロックの特定が終了しても温度異常復帰のように異常度合いが軽減されなかった場合は（ステップＳ１０８“ＹＥＳ”）、端末を構成する全ての回路ブロックに対する電源供給を停止（端末の電源切断）したうえで上記した異常回路ブロック探索のための一連の処理を終了する（ステップＳ１０９）。
【００３７】
すなわち、制御部１０は、温度異常発生時、電源供給部２０を制御することにより、端末を構成する複数の回路ブロックへの電源供給を順次抑制し、ある回路ブロックへの電源供給を抑制したところで異常度合いが軽減されると、その回路ブロックが異常回路ブロックであると見なしてこの異常回路ブロックに対する電源供給を停止するとともに外部へ報知するものである。
【００３８】
ここで、電源供給が抑制される回路ブロックの順序について補足する。この回路ブロックの順序は、固定される場合と、順不同の場合の２つが考えられる。順序が固定され場合、温度異常の大きな要因に電流消費の問題があることから、比較的消費電流が高い回路ブロックを優先して抑制する順序とされ、無線通信部１２が最優先となる。仮に、無線通信部１２に対する電源供給が抑制されても他の回路ブロックに対する電源供給を継続すれば、無線通信部１２以外の回路ブロックは動作するため、例えば、電話番号等の閲覧は可能になる。次に、充電部２２、画像表示部Ａ１３、マルチメディア部１６のように、比較的電流消費が大きな回路ブロックから順に固定的に電源供給を抑制することとする。
【００３９】
次に、順不同の場合は、温度異常を検知した時点で動作している回路ブロックから優先的に電源供給を抑制することとする。具体的に、マルチメディア部１６が動作している場合はマルチメディア部１６に対する電源供給を最優先で抑制し、複数の回路ブロックが動作している場合は、その回路ブロックのうち、電流消費の大きな回路ブロックに対する電源供給を優先して抑制することとする。
【００４０】
（実施形態１の効果）
以上説明のように、実施形態１に係る携帯情報端末に１ａによれば、複数の回路ブロックへの電源供給の抑制状態と温度検知部２３での検知温度に基づく異常度合いとに応じて異常回路ブロックを特定し、この特定された回路ブロックへの電源供給を停止することで、端末内部で発生した異常状態の悪化を抑制することができる。また、特定される異常回路ブロック以外の回路ブロックへの電源供給を継続することで、異常回路ブロックを除く回路ブロックにより実現される機能を使用することができるようになるため、例えば、無線通信部１２の回路ブロックに異常がなかった場合に無線通信部１２による通信機能を使用でき、ユーザは、緊急通報等不測の事態に対処することができる。また、無線通信部１２に異常があれば、操作、表示が可能であり、これにより、電話番号等の検索が可能になる。更に、オーディオ部１７に異常があれば、メールの送受信が可能になる。また、特定された異常回路ブロックが報知されることで、修理の際のユーザの負担が軽減される。
【００４１】
一方、回路ブロック毎に温度検知部２３を備えれば異常回路ブロックを特定することは容易であるが、部品点数が多くなるため好ましくない。これに対し、実施形態１では、順次回路ブロックに対する電源供給を抑制して異常回路ブロックを探索するため、温度検知部２３が１個又は少数で済むといった利点も得られる。
【００４２】
なお、異常回路ブロックへの電源供給の抑制として、回路ブロックへの供給電流を抑制することにより異常回路ブロックを温度異常から復帰させることも考えられる。また、これらの組み合わせでも良い。例えば、異常と判定された回路ブロックが無線通信部１２であった場合、ＲＳＳＩ（Received Signal Strength Indication）等を監視することにより受信レベルを十分に確保できると判定された場合には、送信レベルは少なくてもよい。したがって電流値を抑制しても機能実現に影響を与えることはない。設定された受信レベル以上のエリアであれば無線通信は可能であるため、温度上昇を抑えるのに有効であり、かつ、無線通信部１２の使用時間を延ばすことができる。
【００４３】
一方、画像表示部Ａ１３が異常回路ブロックであると判定されると、電流値を抑制してバックライトの輝度を低くすることでも継続して表示機能を実現可能である。他に、オーディオ部１７であれば音量を絞り、発光表示部１５であれば発光輝度を落とし、充電部２２であれば充電電流を抑制することが考えられる。なお、このように電流を抑制しても温度異常から復帰しない場合は、既に異常回路ブロックが特定できていることから、その回路ブロックに対する電源供給を停止すればよい。
【００４４】
実施形態２．
上記した実施形態１に係る携帯情報端末１ａでは、温度異常が発生した場合に、複数の回路ブロックに対する電源供給を順次抑制し、都度、温度異常から復帰したか否か或いは異常度合いが軽減（改善）したか否かを判定することにより異常回路ブロックの検知（特定）を行う。これに対し、過電流等の電流異常が発生した場合は、瞬時に電流が増大するため、異常回路ブロックを探索するのに時間的な余裕がない。以降、電流異常発生時の異常回路ブロックの検知を行う携帯情報端末１ｂを実施形態２として詳細に説明を行う。
【００４５】
（実施形態２の構成）
図３は、本発明の実施形態２に係る携帯情報端末１ｂの構成を示すブロック図である。図３に示されるように、実施形態１との構成上の差異は、温度検知部２３が電流検知部３０に変更されたことにある。電流検知部３０は、機器内での異常を検知するものであって、例えば、電池部２１と電源供給部２０間を流れる電流値や電源供給部２０から各デバイス１０〜１９への電源供給経路での電流値を検知する。他の構成は同様であるが、制御部１０の動作が異なる。ここでは、制御部１０は、端末内部の異常として端末の電流異常を検知すると、電源供給の抑制に応じて特定される回路ブロックを含む端末の動作状態を退避した後、全ての回路ブロックへの電源の供給を停止し、電源投入要求に基づき、退避した端末の動作状態により順次特定される回路ブロックへの電源供給を停止したまま他の回路ブロックを起動し、異常から復帰した時点或いは異常度合いが軽減（改善）された時点で特定された回路ブロックへの電源の供給を停止した状態でその回路ブロックの異常を報知する。詳細は後述する。
【００４６】
（実施形態２の動作）
以下、図４、図５のフローチャートを参照しながら、図３に示す本発明の実施形態２に係る携帯情報端末１ｂの動作について詳細に説明する。
【００４７】
図４によれば、制御部１０は、まず、電流検知部３０にて測定される電流値に関する情報を取得し（ステップＳ２０１）、閾値と比較することにより過電流等による電流異常の有無を検知する（ステップＳ２０２）。ここで電流異常が検知されると（ステップＳ２０２“ＹＥＳ”）、制御部１０は、その時点における端末の動作状態（ステータス）を記憶部１１の所定の領域に退避する（ステップＳ２０３）。ここで退避されるステータスは、例えば、「通話」、「送信中」である。その後、制御部１０は、電源供給部２０を制御することにより、端末を構成する全ての回路ブロックに対する電源供給を停止する（ステップＳ２０４）。
【００４８】
次に、制御部１０は、ユーザから電源投入要求を受け付けると（ステップＳ２０５“ＹＥＳ”）、先に記憶部１１に退避したステータスを読出し、そのときのステータス（「通話」、「送信中」）に従い、関係する回路ブロックである無線通信部１２を電源供給停止の対象回路ブロックとして特定する（ステップＳ２０６）。続いて制御部１０は、電源供給部２０を制御して無線通信部１２に対する電源供給を停止した状態で他の回路ブロックを対し電源供給することにより起動する（ステップＳ２０７）。
【００４９】
なお、動作状態情報として退避されるステータスは１つに限らないため、例えば、ＬＥＤ点灯中であったならば発光表示部１５に対する電源供給も停止しながら他の回路ブロックへの電源供給を再開する。
【００５０】
次に、制御部１０は、再度電流検知部３０により測定される電流を取得して電流異常から復帰したか否か或いは異常度合いが軽減(改善)したか否かを判定する（図５のステップＳ２０８）。ここで、再度、電流異常を検知した場合は（ステップＳ２０８“ＮＯ”）、再びその時点でのステータス、例えば、「ＬＥＤ点灯」を記憶部１１の所定の領域に退避した後、電源供給部２０を制御して次に特定される発光表示部１５への電源供給を停止したままで他の回路ブロックを起動する（ステップＳ２０９）。ここで、前回退避した無線通信部１１に関するステータス（「通話」、「送信中」）は上書きにより破棄してもよく、また、複合要因が考えられるため追記してもよい。
【００５１】
一方、電流異常から復帰した或いは異常度合いが軽減したことが確認されると（ステップＳ２０８“ＹＥＳ”）、制御部１０は、その時点で特定された回路ブロックへの電源供給を停止したままその回路ブロックが異常であると判定し、その旨を外部へ報知する（ステップＳ２１０）。報知は、実施形態１同様、画像表示部Ａ１３、画像表示部Ｂ１４によるメッセージ表示、発光表示部１５によるＬＥＤの点灯、点滅、オーディオ部１７による音声出力、モータ部１９駆動による振動等によって行われる。
【００５２】
続いて制御部１０では、記憶部１０に退避されステータスにより特定される全ての回路ブロックの探索が終了したか否かを判定する（ステップＳ２１１）。ここで、未だ終了していない回路ブロックがあれば（ステップＳ２１１“ＮＯ”）、ステップＳ２０８の電流異常復帰判定処理に戻る。なお、全ての回路ブロックの特定が終了しても電流異常から復帰できなかった場合は（ステップＳ２１１“ＹＥＳ”）、端末の電源を切断したうえで上記した異常回路ブロック探索のための一連の処理を終了する（ステップＳ２１２）。
【００５３】
なお、ステップＳ２０７またはステップＳ２０９の処理において、特定された回路ブロックへの電源供給を停止しながら他の回路ブロックを起動する際、電流を抑制することができる回路ブロックについては、実施形態１同様、電源供給を停止することなく、電流を抑制したうえで行うことも可能である。また、他の回路ブロックへ電源を供給して起動するとき、予め決められた必要最低限の回路ブロックのみ起動しても良く、起動時のアクセントとして、発光表示部１５のＬＥＤを使用したイルミネーション、モータ部１９を起動することによる振動等が考えられる。
【００５４】
（実施形態２の効果）
以上説明のように、実施形態２に係る携帯情報端末１ｂによれば、電源供給停止前の端末の状態情報を退避して起動する回路ブロックを特定することで正常な回路ブロックのみ起動することができ、その結果、電流異常による回路ブロックを除く回路ブロックにより実現される機能を使用することができるようになる。したがって、例えば、無線通信部１２の回路ブロックに異常がなかった場合に無線通信部１２による通信機能を使用でき、このため、ユーザは、緊急通報等不測の事態に対処することができる。また、無線通信部１２に異常があったとしても、操作、表示が可能であれば、これにより、電話番号等の検索が可能になる。更に、オーディオ部１７に異常があっても、メールの送受信が可能になる。また、特定された異常回路ブロックが報知されることで修理の際のユーザの負担が軽減される。
【００５５】
一方、回路ブロック毎に電流検知部３０を備えれば異常回路ブロックを特定することは容易であるが、部品点数が多くなるため好ましくない。これに対し、実施形態２では、複数の回路ブロックに対する電源供給を順次抑制して異常回路ブロックを探索するため、電流検知部３０が１個で済むといった利点も得られる。
【００５６】
なお、上記した実施形態１、実施形態２では、端末の異常として、温度異常、電流異常がそれぞれ発生した場合を想定して説明したが、他に、電圧異常等が発生した場合、温度、電流、電圧を組み合わせた異常が発生した場合でも同様に対処可能である。
【００５７】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５８】
１ａ、１ｂ  携帯情報端末
１０        制御部
１１        記憶部
１２        無線通信部
１３        画像表示部Ａ
１４        画像表示部Ｂ
１５        発光表示部
１６        マルチメディア部
１７        オーディオ部
１８        カメラ部
１９        モータ部
２０        電源供給部
２１        電池部
２２        充電部
２３        温度検知部
３０        電流検知部
【図１】
2012074795.tif 000003
【図２】
2012074795.tif 000004
【図３】
2012074795.tif 000005
【図４】
2012074795.tif 000006
【図５】
2012074795.tif 000007